(57)【特許請求の範囲】
【請求項１】
第１の紙片部と第２の紙片部とからなる第１のシートと、第２のシートとが剥離可能に貼着され、前記第２の紙片部が、当該第１のシートから所定方向に分離していくとともに前記第２のシートから前記所定方向に剥離していく分離シートであって、
前記第２の紙片部は、前記第１のシートに形成された分離線によって当該第１のシートから分離可能に区画形成されるとともに、前記分離線に沿って設けられた複数の貼着手段によって前記第２のシートと剥離可能に貼着され、
前記複数の貼着手段のそれぞれは、前記第１の紙片部に対向する領域から前記第２の紙片部に対向する領域に突出するように設けられ、前記第２の紙片部と前記第２のシートとの貼着面積が、当該貼着手段における前記第２の紙片部と前記第２のシートとの剥離開始端部から前記所定方向に向かう少なくとも途中まで広くなっていく分離シート。
【請求項２】
請求項１に記載の分離シートにおいて、
前記分離線は、当該分離線が延びる方向に並んで設けられた複数の切り込み線からなり、
前記複数の切り込み線のそれぞれは、
前記分離線が延びる方向に延びた第１の辺部と、
前記第１の辺部の、前記第２の紙片部が前記第１のシートから分離する際の分離開始端側の端部に繋がり、当該端部から前記分離線が延びる方向に対して前記第２の紙片部側に延びた第２の辺部とから構成され、
前記第１の辺部と前記第２の辺部とが繋がる領域が、前記貼着手段に対向している分離シート。
【発明の詳細な説明】
【技術分野】
【０００１】
本発明は、互いに貼着されてなる２枚のシートから一方のシートの一部の領域が分離可能に構成された分離シートに関し、特に、所定方向に分離する際の分離容易性の向上技術に関する。
【背景技術】
【０００２】
従来より、配送物を配送する場合、配送物の配送元及び配送先の住所や氏名あるいは名称等の配送情報が記載された配送伝票が用いられている。このような配送伝票は、上述したような配送情報が印字あるいは記入され、裏面に塗工された粘着剤によって配送物に貼着されて使用される。そして、配送物の配送先において配送伝票の配達票に受領印が押下され、受領印が押下された配達票が配送伝票から分離されて回収されることになる。
【０００３】
そこで、２枚のシートが剥離可能に貼着された２層構造の配送伝票であって、２枚のシートから一方のシートの一部が分離可能に構成されたものが考えられている（例えば、特許文献１，２参照。）。この配送伝票においては、２枚のシートが剥離可能に構成されているとともに、２枚のシートのうち表面側となるシートがスリットによって分離可能となっているため、受領印が押下された領域を剥離、分離して回収することができる。
【０００４】
ところで、上記のような構成の配送伝票においては、２枚のシートが剥離可能に貼着されていることによって一方のシートの一部の領域が分離可能となっているため、その一部の領域を分離するためには、その領域を他方のシートから剥離することになるが、その際、分離される領域には剥離による抵抗力がかかるため、剥離した後にカールしやすくなり、それにより、その後、その領域に印字された配送情報を読み取る等といった作業を行うために機械処理にかけられた場合にジャム等が生じてしまう虞れがある。
【０００５】
ここで、貼着面に粘着剤を部分的に塗工したラベルが考えられている（例えば、特許文献３参照。）。このように、貼着面に粘着剤を部分的に塗工する技術を上述したような２層構造の配送伝票に用いれば、配達票を剥離、分離した後に配達票がカールしにくくすることができる。
【先行技術文献】
【特許文献】
【０００６】
【特許文献１】特開２００４−２９１５６９号公報
【特許文献２】特開２００４−２９１５７７号公報
【特許文献３】特開２００７−１７１７７６号公報
【発明の概要】
【発明が解決しようとする課題】
【０００７】
しかしながら、上述したような技術を組み合わせて配送伝票を構成する２枚のシートの貼着面に粘着剤を部分的に塗工した場合、配達票を剥離、分離した後に配達票がカールしにくくすることはできるものの、配達票を剥離、分離する方向と粘着剤の塗工パターンとの関係によっては、配達票を剥離、分離することによる大きな負荷が配達票に急激にかかり、配達票が破れてしまったり、紙むけが生じてしまったりする虞れがある。これは、配達票が剥離、分離される配送伝票に限らず、互いに貼着されてなる２枚のシートから一方のシートの一部の領域が分離可能に構成された分離シートにおいて生じる問題点である。
【０００８】
本発明は、上述したような従来の技術が有する問題点に鑑みてなされたものであって、互いに貼着されてなる２枚のシートから一方のシートの一部の領域が分離可能に構成された分離シートにおいて、その一部の領域を分離した後にカールをしにくくしながらも、シートが破れたり紙むけが生じたりすることなくその一部の領域を分離することができる分離シートを提供することを目的とする。
【課題を解決するための手段】
【０００９】
上記目的を達成するために本発明は、
第１の紙片部と第２の紙片部とからなる第１のシートと、第２のシートとが剥離可能に貼着され、前記第２の紙片部が、当該第１のシートから所定方向に分離していくとともに前記第２のシートから前記所定方向に剥離していく分離シートであって、
前記第２の紙片部は、前記第１のシートに形成された分離線によって当該第１のシートから分離可能に区画形成されるとともに、前記分離線に沿って設けられた複数の貼着手段によって前記第２のシートと剥離可能に貼着され、
前記複数の貼着手段のそれぞれは、前記第１の紙片部に対向する領域から前記第２の紙片部に対向する領域に突出するように設けられ、前記第２の紙片部と前記第２のシートとの貼着面積が、当該貼着手段における前記第２の紙片部と前記第２のシートとの剥離開始端部から前記所定方向に向かう少なくとも途中まで広くなっていく。
【００１０】
上記のように構成された本発明においては、第１のシートの一部の領域を第１のシートから所定方向に分離するとともに第２のシートからその所定方向に剥離していくと、その一部の領域は、第１のシートに形成された分離線によって第１のシートから分離していき、また、第２のシートとは分離線に沿うように設けられた複数の貼着手段によって剥離可能に貼着されていることから第２のシートから剥離していく。ここで、複数の貼着手段のそれぞれは、剥離する一部の領域と第２のシートとの貼着面積が、その貼着手段における一部の領域と第２のシートとの剥離開始端部から、一部の領域を第２のシートから剥離する所定方向に向かう少なくとも途中まで広くなっていくので、剥離する一部の領域と第２のシートとの剥離開始端においては剥離部分の面積が狭く、その後、一部の領域を第２のシートから剥離していくと、これらの剥離部分の面積が広がっていくことにより、一部の領域を第２のシートから剥離するための負荷が徐々に大きくなっていくこととなり、それにより、第２のシートから剥離する一部の領域に、第２のシートから剥離することによる大きな負荷が急激にかかることがなくなる。そして、剥離する一部の領域は、分離線に沿うように設けられた複数の貼着手段によって第２のシートに剥離可能に貼着されているため、その全面において第２のシートに貼着されておらず、それにより、第２のシートから剥離された後にカールしにくくなる。
【００１１】
また、分離線が、分離線が延びる方向に並んで設けられた複数の切り込み線からなり、複数の切り込み線のそれぞれが、分離線が延びる方向に延びた第１の辺部と、第１の辺部の、第２の紙片部が第１のシートから分離する際の分離開始端側の端部に繋がり、その端部から分離線が延びる方向に対して第２の紙片部側に延びた第２の辺部とから構成され、第１の辺部と第２の辺部とが繋がる領域が貼着手段に対向しているものにおいては、第２の紙片部を第１のシートから所定方向に分離した場合に第１のシートが破断していく延長線上に、隣接する切り込み線の第２の辺部が存在するので、第２の紙片部を分離線に沿ってきれいに分離させることができ、また、第１の辺部と第２の辺部とが繋がる領域が捲れ上がってしまうことを回避することができる。
【発明の効果】
【００１２】
以上説明したように本発明においては、第１のシートと第２のシートとが剥離可能に貼着され、第１のシートの一部の領域が、第１のシートから所定方向に分離していくとともに第２のシートからその所定方向に剥離していく分離シートにおいて、一部の領域が、第１のシートに形成された分離線によって第１のシートから分離可能に区画形成されるとともに、分離線に沿うように設けられた複数の貼着手段によって第２のシートと剥離可能に貼着され、複数の貼着手段のそれぞれが、一部の領域と第２のシートとの貼着面積が、その貼着手段における一部の領域と第２のシートとの剥離開始端部から、一部の領域を第２のシートから剥離する所定方向に向かう少なくとも途中まで広くなっていく構成としたため、剥離する一部の領域は、分離線に沿うように設けられた複数の貼着手段によってのみ第２のシートに剥離可能に貼着されており、また、剥離する一部の領域と第２のシートとの剥離開始端においては剥離部分の面積が狭く、その後、一部の領域を第２のシートから剥離していくと、これらの剥離部分の面積が広がっていくことにより、一部の領域を第２のシートから剥離するための負荷が徐々に大きくなっていくこととなり、それにより、第２のシートから剥離する一部の領域に、第２のシートから剥離することによる大きな負荷が急激にかかることがなくなり、一部の領域を分離した後にカールをしにくくしながらも、シートが破れたり紙むけが生じたりすることなくその一部の領域を分離することができる。
【００１３】
また、分離線が、分離線が延びる方向に並んで設けられた複数の切り込み線からなり、複数の切り込み線のそれぞれが、分離線が延びる方向に延びた第１の辺部と、第１の辺部の、一部の領域が第１のシートから分離する際の分離開始端側の端部に繋がり、その端部から分離線が延びる方向に対して一部の領域側に延びた第２の辺部とから構成され、第１の辺部と第２の辺部とが繋がる領域が貼着手段に対向しているものにおいては、一部の領域を第１のシートから所定方向に分離した場合に第１のシートが破断していく延長線上に、隣接する切り込み線の第２の辺部が存在するので、一部の領域を分離線に沿ってきれいに分離させることができ、また、第１の辺部と第２の辺部とが繋がる領域が捲れ上がってしまうことを回避することができる。
【図面の簡単な説明】
【００１４】
【図１】本発明の分離シートの第１の実施の形態を示す図であり、（ａ）は表面図、（ｂ）は（ａ）に示したＡ−Ａ’断面図、（ｃ）は（ｂ）に示した貼付シートの表面図、（ｄ）は（ａ），（ｂ）に示した配達票の裏面図である。
【図２】図１に示した配送伝票から配達票を分離する際の作用を説明するための図である。
【図３】本発明の分離シートの第２の実施の形態を示す図であり、（ａ）は表面図、（ｂ）は（ａ）に示したＡ−Ａ’断面図、（ｃ）は（ｂ）に示した貼付シートの表面図、（ｄ）は（ａ），（ｂ）に示した配達票の裏面図である。
【図４】図３に示した配送伝票から配達票を分離する際の作用を説明するための図である。
【図５】図３に示した配送伝票のジッパーの詳細な形状を示す図である。
【図６】図５に示したジッパーによる作用を説明するための図である。
【発明を実施するための形態】
【００１５】
以下に、本発明の実施の形態について図面を参照して説明する。
【００１６】
（第１の実施の形態）
図１は、本発明の分離シートの第１の実施の形態を示す図であり、（ａ）は表面図、（ｂ）は（ａ）に示したＡ−Ａ’断面図、（ｃ）は（ｂ）に示した貼付シート２０の表面図、（ｄ）は（ａ），（ｂ）に示した配達票１２の裏面図である。
【００１７】
本形態は図１に示すように、第１のシートである配送情報シート１０と第２のシートである貼付シート２０とが剥離可能に貼着されて構成されており、さらに、貼付シート２０の裏面には剥離紙３０が剥離可能に貼着されている。
【００１８】
配送情報シート１０は、第１の紙片部となる貼付票１１と、第２の紙片部となる配達票１２とからなり、配達票１２がその周囲に形成された分離線となるマイクロミシン１３によって配送情報シート１０から分離可能に区画形成された構成となっている。貼付票１１と配達票１２のそれぞれには、この配送伝票１が貼着されて配送される配送物の配送元や配送先に関する配送情報が印字される配送情報印字領域１１ａ，１２ａが設けられているとともに、配達票１２には、この配送伝票１が貼着されて配送される配送物の配送先にて受領印を押下するための押印領域１２ｂが設けられている。また、配達票１２の角部の１つには切り欠き１４が設けられており、この切り欠き１４が設けられた領域が、配達票１２を配送情報シート１０から分離する際の分離開始端部となるとともに、配達票１２を貼付シート２０から剥離する際の剥離開始端部となる。すなわち、配達票１２は、本願発明における一部の領域であり、配送情報シート１０から分離可能に構成されているとともに、貼付シート２０から剥離可能に構成されていることになる。また、配送情報シート１０の裏面のうち、配達票１２のマイクロミシン１３に沿う領域には剥離剤５１が塗工されている。
【００１９】
貼付シート２０は、配送情報シート１０との貼着面のうち貼付票１１に対向する領域に剥離剤５２が塗工されており、その剥離剤５２上に粘着剤４１が塗工されている。また、この粘着剤４１は、配達票１２に対向する領域のうちマイクロミシン１３に沿う領域、すなわち、配達票１２に塗工された剥離剤５１に対向する領域においても、貼付票１１に対向する領域から三角形の形状に複数突出するように塗工され、貼着手段となる貼着部４１ａ，４１ｂが構成されている。これにより、配達票１２が、貼着部４１ａ，４１ｂによって貼付シート２０に剥離可能に貼着された構成となっている。また、剥離紙３０との貼着面の全面に粘着剤４２が塗工されている。
【００２０】
剥離紙３０は、剥離台紙３１の表面に剥離剤３２が塗工されて構成されており、この剥離剤３２が塗工された面が貼付シート２０に貼着されることにより、貼付シート２０と剥離可能に貼着されている。
【００２１】
上記のように構成された配送伝票１においては、配送情報シート１０に設けられた配送情報印字領域１１ａ，１２ａに、この配送伝票１が貼着されて配送される配送物の配送元や配送先に関する配送情報が印字されて使用される。配送情報印字領域１１ａ，１２ａに配送情報が印字された配送伝票１は、剥離紙３０のみが貼付シート２０から剥離され、貼付シート２０の裏面に塗工された粘着剤４２によって配送物に貼着される。そして、配送伝票１が貼着された配送物は、配送情報印字領域１１ａ，１２ａに印字された配送情報に従って配送先に配送され、配送先において押印領域１２ｂに受領印が押下された後、マイクロミシン１３を破断することによって、配達票１２が配送情報シート１０から分離されるとともに貼付シート２０から剥離されて回収される。
【００２２】
以下に、配達票１２を配送伝票１から分離する際の作用について説明する。
【００２３】
図２は、図１に示した配送伝票１から配達票１２を分離する際の作用を説明するための図である。
【００２４】
図１に示した配送伝票１が貼着された配送物が配送先に配送され、配送先において押印領域１２ｂに受領印が押下された後、配達票１２を回収するために、上述したように切り欠き１４を分離開始端部としてマイクロミシン１３を破断していくことによって配達票１２を配送情報シート１０から分離していくとともに、切り欠き１４を剥離開始端部として配達票１２を貼付シート２０から剥離していく。すなわち、切り欠き１４を配達票１２の配送情報シート１０からの分離開始端部とするとともに配達票１２の貼付シート２０からの剥離開始端部とすることにより、配達票１２は、図１及び図２中左下から右上の方向を所定方向として配送情報シート１０から分離していくとともに貼付シート２０から剥離していくこととなる。
【００２５】
配達票１２は、上述したようにマイクロミシン１３に沿う領域にて貼付シート２０に塗工された粘着剤４１によって構成される貼着部４１ａ，４１ｂによって貼着されており、配達票１２の裏面にはこの粘着剤４１に対向する領域に剥離剤５１が塗工されているため、マイクロミシン１３を破断することによって配達票１２を配送情報シート１０から分離するとともに貼付シート２０から剥離することができる。
【００２６】
ここで、貼付シート２０に塗工された粘着剤４１は、配達票１２に対向する領域においては、マイクロミシン１３に沿う領域にて複数の三角形の形状の貼着部４１ａ，４１ｂとなっているが、その形状及び向きは、配達票１２の図１中左辺及び下辺に対向する領域に配置された貼着部４１ａにおいては、マイクロミシン１３に対向する辺を長辺とした直角二等辺三角形となっており、また、配達票１２の図１中右辺及び上辺に対向する領域に配置された貼着部４１ｂにおいては、マイクロミシン１３に対向する辺とその辺について図１中左側または下側の端部に交わる辺とが直角をなす直角三角形となっている。
【００２７】
そのため、配達票１２を、切り欠き１４を分離開始端部として配送情報シート１０から分離していくとともに、切り欠き１４を剥離開始端部として貼付シート２０から剥離していくと、まず、マイクロミシン１３の図１中左辺及び下辺が破断していくとともに、配達票１２と貼付シート２０との貼着領域のうち、マイクロミシン１３の図１中左辺及び下辺に対向する領域に配置された貼着部４１ａによる領域が剥離していくが、この貼着部４１ａは、マイクロミシン１３に対向する辺を長辺とした直角二等辺三角形の形状となっているため、図２（ａ）に示すように、貼着部４１ａのうち直角二等辺三角形の底角となる部分から剥離していく。
【００２８】
その後、切り欠き１４を分離開始端部とすることによって配達票１２を図１中右上方向に配送情報シート１０から分離していくとともに、切り欠き１４を剥離開始端部とすることによって配達票１２を図１中右上方向に貼付シート２０から剥離していくと、貼着部４１ａの直角二等辺三角形の底角を挟む２辺の間隔が広がっていくことから、図２（ｂ）に示すように、その貼着部４１ａにおける配達票１２と貼付シート２０との剥離部分の幅Ｗが広がっていく。
【００２９】
そして、さらに、配達票１２を図１中右上方向に配送情報シート１０から分離していくとともに貼付シート２０から剥離していくと、その貼着部４１ａにおける配達票１２と貼付シート２０との剥離部分の幅Ｗがさらに広がり、図２（ｃ）に示すように、直角二等辺三角形の短辺の長さと等しくなる。
【００３０】
このように、配達票１２を切り欠き１４が設けられた領域から図１中右上方向に配送情報シート１０から分離していくとともに貼付シート２０から剥離していくと、配達票１２と貼付シート２０とを配達票１２のマイクロミシン１３に沿う領域にて貼着している貼着部４１ａのそれぞれにおいて、配達票１２と貼付シート２０との剥離部分の幅、すなわち、その幅による配達票１２と貼付シート２０との剥離部分の面積が広がっていくことにより、配達票１２の図１中左辺と下辺に沿う領域において、配達票１２を貼付シート２０から剥離するための負荷が徐々に大きくなっていくこととなり、それにより、配達票１２に貼付シート２０から剥離することによる大きな負荷が急激にかかることがなくなる。このような作用は、配達票１２の図１中左辺と下辺に沿う領域において、配達票１２に対向する領域に塗工された粘着剤４１による貼着部４１ａが、マイクロミシン１３に対向する辺を長辺とした直角二等辺三角形の形状となっており、また、配達票１２を、切り欠き１４を分離開始端部として配送情報シート１０から分離していくとともに、切り欠き１４を剥離開始端部として貼付シート２０から剥離していくことによって生じるものである。すなわち、配達票１２に対向する領域に塗工された粘着剤４１による貼着部４１ａのそれぞれが、マイクロミシン１３に対向する辺を長辺とした直角二等辺三角形の形状となっていることにより、貼着部４１ａと配達票１２との貼着面積が、その貼着部４１ａにおける配達票１２と貼付シート２０との剥離開始端部から、配達票１２を貼付シート２０から剥離する方向に向かって広くなっていくことによるものである。
【００３１】
その後、さらに配達票１２を配送情報シート１０から分離していくとともに貼付シート２０から剥離していくと、マイクロミシン１３の図１中右辺及び上辺が破断していくとともに、配達票１２と貼付シート２０との貼着領域のうち、マイクロミシン１３の図１中右辺及び上辺に対向する領域に配置された貼着部４１ｂによる貼着領域が剥離していくが、この貼着部４１ｂは、マイクロミシン１３に対向する辺とその辺について図１中左側または下側の端部に交わる辺とが直角をなす直角三角形となっているため、図２（ｄ）に示すように、貼着部４１ｂのうち直角三角形の１つの頂点となる部分から剥離していく。
【００３２】
その後、切り欠き１４を分離開始端部とすることによって配達票１２を図１中右上方向に配送情報シート１０から分離していくとともに、切り欠き１４を剥離開始端部とすることによって配達票１２を図１中右上方向に貼付シート２０から剥離していくと、貼着部４１ｂの直角三角形の頂点のうち配達票１２と貼付シート２０とが剥離しはじめた領域の頂点を挟む２辺の間隔が広がっていくことから、図２（ｅ）に示すように、その貼着部４１ｂにおける配達票１２と貼付シート２０との剥離部分の幅Ｗが広がっていく。
【００３３】
そして、さらに、配達票１２を図１中右上方向に配送情報シート１０から分離していくとともに貼付シート２０から剥離していくと、その貼着部４１ｂにおける配達票１２と貼付シート２０との剥離部分の幅Ｗがさらに広がり、図２（ｆ）に示すように、直角三角形の直角となる頂点とその頂点に対向する辺とを結ぶ直線の長さと等しくなる。
【００３４】
このように、配達票１２を切り欠き１４が設けられた領域から図１中右上方向に配送情報シート１０から分離していくとともに貼付シート２０から剥離していくと、配達票１２と貼付シート２０とを配達票１２のマイクロミシン１３に沿う領域にて貼着している貼着部４１ｂのそれぞれにおいて、配達票１２と貼付シート２０との剥離部分の幅、すなわち、その幅による配達票１２と貼付シート２０との剥離部分の面積が広がっていくことにより、配達票１２の図１中右辺と上辺に沿う領域において、配達票１２を貼付シート２０から剥離するための負荷が徐々に大きくなっていくこととなり、それにより、配達票１２に貼付シート２０から剥離することによる大きな負荷が急激にかかることがなくなる。このような作用は、配達票１２の図１中右辺と上辺に沿う領域において、配達票１２に対向する領域に塗工された粘着剤４１による貼着部４１ｂが、マイクロミシン１３に対向する辺とその辺について図１中左側または下側の端部に交わる辺とが直角をなす直角三角形となっており、また、配達票１２を、切り欠き１４を分離開始端部として配送情報シート１０から分離していくとともに、切り欠き１４を剥離開始端部として貼付シート２０から剥離していくことによって生じるものである。すなわち、配達票１２に対向する領域に塗工された粘着剤４１による貼着部４１ｂのそれぞれが、マイクロミシン１３に対向する辺とその辺について図１中左側または下側の端部に交わる辺とが直角をなす直角三角形の形状となっていることにより、貼着部４１ｂと配達票１２との貼着面積が、その貼着部４１ｂにおける配達票１２と貼付シート２０との剥離開始端部から、配達票１２を貼付シート２０から剥離する方向に向かってその途中まで広くなっていくことによるものである。
【００３５】
上述したように本形態においては、配送情報シート１０と貼付シート２０とを貼着している粘着剤４１を配達票１２に対向する領域においては、マイクロミシン１３に沿う領域に複数の貼着部４１ａ，４１ｂとして配置し、貼着部４１ａ，４１ｂのそれぞれの形状を、配達票１２と貼付シート２０との貼着面積が、その貼着部４１ａ，４１ｂにおける配達票１２と貼付シート２０との剥離開始端部から、配達票１２を貼付シート２０から剥離する所定方向に向かう少なくとも途中まで広くなっていく構成としたため、複数の貼着部４１ａ，４１ｂのそれぞれにおいて、配達票１２と貼付シート２０との剥離開始端においては剥離部分の面積が狭く、その後、配達票１２を貼付シート２０から剥離していくと、これらの剥離部分の面積が広がっていくことにより、配達票１２を貼付シート２０から剥離するための負荷が徐々に大きくなっていくこととなり、それにより、配達票１２を貼付シート２０から剥離する際に配達票１２に大きな負荷が急激にかかることがなくなり、配達票１２や貼付シート２０が破れたり紙むけが生じたりすることなく配達票１２を配送伝票１から分離することができる。また、配達票１２は、マイクロミシン１３に沿うように設けられた複数の貼着部４１ａ，４１ｂによってのみ貼付シート２０に剥離可能に貼着されているため、その全面において貼付シート２０に貼着されておらず、それにより、貼付シート２０から剥離された後にカールしにくくなる。
【００３６】
（第２の実施の形態）
図３は、本発明の分離シートの第２の実施の形態を示す図であり、（ａ）は表面図、（ｂ）は（ａ）に示したＡ−Ａ’断面図、（ｃ）は（ｂ）に示した貼付シート１２０の表面図、（ｄ）は（ａ），（ｂ）に示した配達票１１２の裏面図である。
【００３７】
本形態は図３に示したものに対して、配達票１１２を配送情報シート１１０から分離するための分離線がジッパー１１３となっている点のみが異なるものである。
【００３８】
上記のように構成された配送伝票１０１においては、配送情報シート１１０に設けられた配送情報印字領域１１１ａ，１１２ａに、この配送伝票１が貼着されて配送される配送物の配送元や配送先に関する配送情報が印字されて使用される。配送情報印字領域１１１ａ，１１２ａに配送情報が印字された配送伝票１０１は、剥離紙１３０のみが貼付シート１２０から剥離され、貼付シート１２０の裏面に塗工された粘着剤１４２によって配送物に貼着される。そして、配送伝票１０１が貼着された配送物は、配送情報印字領域１１１ａ，１１２ａに印字された配送情報に従って配送先に配送され、配送先において押印領域１１２ｂに受領印が押下された後、ジッパー１１３を破断することによって、配達票１１２が配送情報シート１１０から分離されるとともに貼付シート１２０から剥離されて回収される。
【００３９】
以下に、配達票１１２を配送伝票１０１から分離する際の作用について説明する。
【００４０】
図４は、図３に示した配送伝票１０１から配達票１１２を分離する際の作用を説明するための図である。
【００４１】
図３に示した配送伝票１０１が貼着された配送物が配送先に配送され、配送先において押印領域１１２ｂに受領印が押下された後、配達票１１２を回収するために、上述したように切り欠き１１４を分離開始端部としてジッパー１１３を破断していくことによって配達票１１２を配送情報シート１１０から分離していくとともに、切り欠き１１４を剥離開始端部として配達票１１２を貼付シート１２０から剥離していく。すなわち、切り欠き１１４を配達票１１２の配送情報シート１１０からの分離開始端部とするとともに配達票１１２の貼付シート１２０からの剥離開始端部とすることにより、配達票１１２は、図３及び図４中左下から右上の方向を所定方向として配送情報シート１１０から分離していくとともに貼付シート１２０から剥離していくこととなる。
【００４２】
配達票１１２は、上述したようにジッパー１１３に沿う領域にて貼付シート１２０に塗工された粘着剤１４１によって構成される貼着部１４１ａ，１４１ｂによって貼着されており、配達票１１２の裏面にはこの粘着剤１４１に対向する領域に剥離剤１５１が塗工されているため、ジッパー１１３を破断することによって配達票１１２を配送情報シート１１０から分離するとともに貼付シート１２０から剥離することができる。
【００４３】
ここで、貼付シート１２０に塗工された粘着剤１４１は、配達票１１２に対向する領域においては、ジッパー１１３に沿う領域にて複数の三角形の形状の貼着部１４１ａ，１４１ｂとなっているが、その形状及び向きは、配達票１１２の図３中左辺及び下辺に対向する領域に配置された貼着部１４１ａにおいては、ジッパー１１３に対向する辺を長辺とした直角二等辺三角形となっており、また、配達票１１２の図３中右辺及び上辺に対向する領域に配置された貼着部１４１ｂにおいては、ジッパー１１３に対向する辺とその辺について図３中左側または下側の端部に交わる辺とが直角をなす直角三角形となっている。
【００４４】
そのため、配達票１１２を、切り欠き１１４を分離開始端部として配送情報シート１１０から分離していくとともに、切り欠き１１４を剥離開始端部として貼付シート１２０から剥離していくと、まず、ジッパー１１３の図３中左辺及び下辺が破断していくとともに、配達票１１２と貼付シート１２０との貼着領域のうち、ジッパー１１３の図３中左辺及び下辺に対向する領域に配置された貼着部１４１ａによる貼着領域が剥離していくが、この貼着部１４１ａは、ジッパー１１３に対向する辺を長辺とした直角二等辺三角形の形状となっているため、図４（ａ）に示すように、貼着部１４１ａのうち直角二等辺三角形の底角となる部分から剥離していく。
【００４５】
その後、切り欠き１１４を分離開始端部とすることによって配達票１１２を図３中右上方向に配送情報シート１１０から分離していくとともに、切り欠き１１４を剥離開始端部とすることによって配達票１１２を図３中右上方向に貼付シート１２０から剥離していくと、貼着部１４１ａの直角二等辺三角形の底角を挟む２辺の間隔が広がっていくことから、図４（ｂ）に示すように、その貼着部１４１ａにおける配達票１１２と貼付シート１２０との剥離部分の幅Ｗが広がっていく。
【００４６】
そして、さらに、配達票１１２を図３中右上方向に配送情報シート１１０から分離していくとともに貼付シート１２０から剥離していくと、その貼着部１４１ａにおける配達票１１２と貼付シート１２０との剥離部分の幅Ｗがさらに広がり、図４（ｃ）に示すように、直角二等辺三角形の短辺の長さと等しくなる。
【００４７】
このように、配達票１１２を切り欠き１１４が設けられた領域から図３中右上方向に配送情報シート１１０から分離していくとともに貼付シート１２０から剥離していくと、配達票１１２と貼付シート１２０とを配達票１１２のジッパー１１３に沿う領域にて貼着している貼着部１４１ａのそれぞれにおいて、配達票１１２と貼付シート１２０との剥離部分の幅、すなわち、その幅による配達票１１２と貼付シート１２０との剥離部分の面積が広がっていくことにより、配達票１１２の図３中左辺と下辺に沿う領域において、配達票１１２を貼付シート１２０から剥離するための負荷が徐々に大きくなっていくこととなり、それにより、配達票１１２に貼付シート１２０から剥離することによる大きな負荷が急激にかかることがなくなる。このような作用は、配達票１１２の図３中左辺と下辺に沿う領域において、配達票１１２に対向する領域に塗工された粘着剤１４１による貼着部１４１ａが、ジッパー１１３に対向する辺を長辺とした直角二等辺三角形の形状となっており、また、配達票１１２を、切り欠き１１４を分離開始端部として配送情報シート１１０から分離していくとともに、切り欠き１１４を剥離開始端部として貼付シート１２０から剥離していくことによって生じるものである。すなわち、配達票１１２に対向する領域に塗工された粘着剤１４１による貼着部１４１ａのそれぞれが、ジッパー１１３に対向する辺を長辺とした直角二等辺三角形の形状となっていることにより、貼着部１４１ａと配達票１１２との貼着面積が、その貼着部１４１ａにおける配達票１１２と貼付シート１２０との剥離開始端部から、配達票１１２を貼付シート１２０から剥離する方向に向かって広くなっていくことによるものである。
【００４８】
その後、さらに配達票１１２を配送情報シート１１０から分離していくとともに貼付シート１２０から剥離していくと、ジッパー１１３の図３中右辺及び上辺が破断していくとともに、配達票１１２と貼付シート１２０との貼着領域のうち、ジッパー１１３の図３中右辺及び上辺に対向する領域に配置された貼着部１４１ｂによる貼着領域が剥離していくが、この貼着部１４１ｂは、ジッパー１１３に対向する辺とその辺について図３中左側または下側の端部に交わる辺とが直角をなす直角三角形となっているため、図４（ｄ）に示すように、貼着部１４１ｂのうち直角三角形の１つの頂点となる部分から剥離していく。
【００４９】
その後、切り欠き１１４を分離開始端部とすることによって配達票１１２を図３中右上方向に配送情報シート１１０から分離していくとともに、切り欠き１１４を剥離開始端部とすることによって配達票１１２を図３中右上方向に貼付シート１２０から剥離していくと、貼着部１４１ｂの直角三角形の頂点のうち配達票１１２と貼付シート１２０とが剥離しはじめた領域の頂点を挟む２辺の間隔が広がっていくことから、図４（ｅ）に示すように、その貼着部１４１ｂにおける配達票１１２と貼付シート１２０との剥離部分の幅Ｗが広がっていく。
【００５０】
そして、さらに、配達票１１２を図３中右上方向に配送情報シート１１０から分離していくとともに貼付シート１２０から剥離していくと、その貼着部１４１ｂにおける配達票１１２と貼付シート１２０との剥離部分の幅Ｗがさらに広がり、図４（ｆ）に示すように、直角三角形の直角となる頂点とその頂点に対向する辺とを結ぶ直線の長さと等しくなる。
【００５１】
このように、配達票１１２を切り欠き１１４が設けられた領域から図３中右上方向に配送情報シート１１０から分離していくとともに貼付シート１２０から剥離していくと、配達票１１２と貼付シート１２０とを配達票１１２のジッパー１１３に沿う領域にて貼着している貼着部１４１ｂのそれぞれにおいて、配達票１１２と貼付シート１２０との剥離部分の幅、すなわち、その幅による配達票１１２と貼付シート１２０との剥離部分の面積が広がっていくことにより、配達票１１２の図３中右辺と上辺に沿う領域において、配達票１１２を貼付シート１２０から剥離するための負荷が徐々に大きくなっていくこととなり、それにより、配達票１１２に貼付シート１２０から剥離することによる大きな負荷が急激にかかることがなくなる。このような作用は、配達票１１２の図３中右辺と上辺に沿う領域において、配達票１１２に対向する領域に塗工された粘着剤１４１による貼着部１４１ｂが、ジッパー１１３に対向する辺とその辺について図３中左側または下側の端部に交わる辺とが直角をなす直角三角形となっており、また、配達票１１２を、切り欠き１１４を分離開始端部として配送情報シート１１０から分離していくとともに、切り欠き１１４を剥離開始端部として貼付シート１２０から剥離していくことによって生じるものである。すなわち、配達票１１２に対向する領域に塗工された粘着剤１４１による貼着部１４１ｂのそれぞれが、ジッパー１１３に対向する辺とその辺について図３中左側または下側の端部に交わる辺とが直角をなす直角三角形の形状となっていることにより、貼着部１４１ｂと配達票１１２との貼着面積が、その貼着部１４１ｂにおける配達票１１２と貼付シート１２０との剥離開始端部から、配達票１１２を貼付シート１２０から剥離する方向に向かってその途中まで広くなっていくことによるものである。
【００５２】
上述したように本形態においては、配送情報シート１１０と貼付シート１２０とを貼着している粘着剤１４１を配達票１１２に対向する領域においては、ジッパー１１３に沿う領域に複数の貼着部１４１ａ，１４１ｂとして配置し、貼着部１４１ａ，１４１ｂのそれぞれの形状を、配達票１１２と貼付シート１２０との貼着面積が、その貼着部１４１ａ，１４１ｂにおける配達票１１２と貼付シート１２０との剥離開始端部から、配達票１１２を貼付シート１２０から剥離する所定方向に向かう少なくとも途中まで広くなっていく構成としたため、複数の貼着部１４１ａ，１４１ｂのそれぞれにおいて、配達票１１２と貼付シート１２０との剥離開始端においては剥離部分の面積が狭く、その後、配達票１１２を貼付シート１２０から剥離していくと、これらの剥離部分の面積が広がっていくことにより、配達票１１２を貼付シート１２０から剥離するための負荷が徐々に大きくなっていくこととなり、それにより、配達票１１２を貼付シート１２０から剥離する際に配達票１１２に大きな負荷が急激にかかることがなくなり、配達票１１２や貼付シート１２０が破れたり紙むけが生じたりすることなく配達票１１２を配送伝票１０１から分離することができる。また、配達票１１２は、ジッパー１１３に沿うように設けられた複数の貼着部１４１ａ，１４１ｂによってのみ貼付シート１２０に剥離可能に貼着されているため、その全面において貼付シート１２０に貼着されておらず、それにより、貼付シート１２０から剥離された後にカールしにくくなる。
【００５３】
以下に、本形態におけるジッパー１１３による作用について説明する。
【００５４】
まず、ジッパー１１３の詳細の形状について説明する。
【００５５】
図５は、図３に示した配送伝票１０１のジッパー１１３の詳細な形状を示す図である。
【００５６】
本形態におけるジッパー１１３は図５に示すように、ジッパー１１３が延びる方向に並んで設けられた複数の切り込み線１１３ａから構成されている。複数の切り込み線１１３ａのそれぞれは、第１の辺部１１３ｂと第２の辺部１１３ｃとが「ヘ」の字型に繋がった形状となっている。辺部１１３ｂはジッパー１１３が延びる方向に延びており、辺部１１３ｃは、辺部１１３ｂの両端部のうち切り欠き１１４側の端部に繋がり、その端部からジッパー１１３が延びる方向に対して配達票１１２側に延びている。また、これら辺部１１３ｂ，１１３ｃが繋がる領域は、上述した貼着部１４１ａ，１４１ｂに対向している。
【００５７】
次に、上記のように構成されたジッパー１１３による作用について説明する。
【００５８】
図６は、図５に示したジッパー１１３による作用を説明するための図である。
【００５９】
図３に示した配送伝票１０１において、上述したように切り欠き１１４を分離開始端部として配達票１１２を図３中右上の方向に分離していくと、配達票１１２はジッパー１１３に沿って配送情報シート１１０から分離していくことになる。配達票１１２の貼付票１１１との分離領域は、１つの切り込み線１１３ａにおいて辺部１１３ｃから辺部１１３ｂに移り、図６（ａ）に示すように、辺部１１３ｂの辺部１１３ｃと繋がっていない端部に達する。そして、その状態においては、図６（ｂ）に示すように、配送情報シート１１０に対して、配達票１１２の分離方向、すなわち図３中右上の方向に破断力が加わっているため、配送情報シート１１０が、辺部１１３ｂの辺部１１３ｃと繋がっていない端部から図３中右上の方向に破断していく。
【００６０】
ところが、配送情報シート１１０が破断していく延長線上には、隣接する切り込み線１１３ａの辺部１１３ｃが存在するため、図６（ｃ）に示すように、破断部分がこの辺部１１３ｃと繋がり、図６（ｄ）に示すように、配送情報シート１１０の破断部分が複数の切り込み線１１３ａによって繋がることにより、配達票１１２が貼付票１１１からきれいに分離することになる。
【００６１】
ここで、ジッパー１１３を構成する複数の切り込み線１１３ａのそれぞれは、２つの辺部１１３ｂ，１１３ｃが「ヘ」の字型に繋がった形状となっているため、配送情報印字領域１１１ａ，１１１ｂに配送情報を印字するために配送伝票１がプリンタにかけられた場合において、２つの辺部１１３ｂ，１１３ｃが繋がる領域がプリンタ内でひっかかって捲れ上がってしまう虞れが生じる。ところが、本形態においては、２つの辺部１１３ｂ，１１３ｃが繋がる領域が、粘着剤１４１が塗工された貼着部１４１ａ，１４１ｂに対向しているので、この領域においては配送情報シート１１０と貼付シート１２０とが貼着されており、配送伝票１０１がプリンタにかけられた場合において、２つの辺部１１３ｂ，１１３ｃが繋がる領域がプリンタ内でひっかかって捲れ上がってしまうことがなくなる。
【００６２】
なお、上述した２つの実施の形態においては、貼付シート２０，１２０の配達票１２，１１２に対向する領域において粘着剤４１，１４１が直角三角形となった貼着部４１ａ，４１ｂ，１４１ａ，１４１ｂが配置されたものを例に挙げて説明したが、貼着部４１ａ，４１ｂ，１４１ａ，１４１ｂの形状はこれに限らず、配達票１２，１１２と貼付シート２０，１２０との貼着面積が、その貼着部４１ａ，４１ｂ，１４１ａ，１４１ｂにおける配達票１２，１１２と貼付シート２０，１２０との剥離開始端部から、配達票１２，１１２を剥離していく方向に向かう少なくとも途中まで広くなっていく構成であればよい。
【００６３】
また、上述した２つの実施の形態においては、配送情報シート１０，１１０と貼付シート２０，１２０とが剥離可能に貼着され、配送情報シート１０，１１０に設けられた配達票１２，１１２が、配送情報シート１０，１１０から所定方向に分離していくとともに貼付シート２０，１２０から所定方向に剥離していく配送伝票１，１０１を例に挙げて説明したが、第１のシートと第２のシートとが剥離可能に貼着され、第１のシートの一部の領域が、第１のシートから所定方向に分離していくとともに第２のシートからその所定方向に剥離していくものであれば、これに限らない。
【符号の説明】
【００６４】
１，１０１    配送伝票
１０，１１０    配送情報シート
１１，１１１    貼付票
１１ａ，１２ａ，１１１ａ，１１２ａ    配送情報印字領域
１２ｂ，１１２ｂ    押印領域
１２，１１２    配達票
１３    マイクロミシン
１４，１１４    切り欠き
２０，１２０    貼付シート
３０，１３０    剥離紙
３１，１３１    剥離台紙
３２，５１，５２，１３２，１５１，１５２    剥離剤
４１，４２，１４１，１４２    粘着剤
４１ａ，４１ｂ，１４１ａ，１４１ｂ    貼着部
１１３    ジッパー
１１３ａ    切り込み線
１１３ｂ，１１３ｃ    辺部
【図１】
0005592149.tif 000002
【図２】
0005592149.tif 000003
【図３】
0005592149.tif 000004
【図４】
0005592149.tif 000005
【図５】
0005592149.tif 000006
【図６】
0005592149.tif 000007